【手続補正書】
【提出日】令和2年6月18日(2020.6.18)
【手続補正１】
【補正対象書類名】特許請求の範囲
【補正対象項目名】全文
【補正方法】変更
【補正の内容】
【特許請求の範囲】
【請求項１】
直交周波数分割多重移動通信システムにおけるデータを伝送するための方法であって、接続の前記データは、変調及び符号化スキーム再構成サイクル長（ＭＣＳ再構成サイクル長）にわたって再構成可能なＭＣＳを使用して伝送され、前記接続の前記データは、再構成可能な伝送時間間隔長（ＴＴＩ長）を使用して伝送され、前記ＴＴＩ長が変わらないまま、前記ＭＣＳ再構成サイクル長が前記接続に対して変更される、方法。
【請求項２】
前記データは、データフレーム内で伝送され、前記データフレームは、データフレームブロックを含むフレーム構造を有し、前記データフレームブロックは、
少なくとも１つのフレーム制御フィールドと、
少なくとも１つのフレームサブブロックであり、各サブブロックは、
ユーザデータと、
前記ユーザデータに対する前記ＭＣＳに関する情報と、
ＴＴＩインジケータと、
ユーザデータ証明情報と、
を含む、フレームサブブロックと
を備える、請求項１に記載の方法。
【請求項３】
前記データフレームは、さらに、前記ＭＣＳに関する情報を含む連続情報フィールド間の区分を示す情報を含む、請求項２に記載の方法。
【請求項４】
前記データフレーム内で、データは、複数のデータチャネル内で同時に伝送され、第１データチャネル内のデータは第１の変調及び符号化スキームの適応レートで伝送され、第２データチャネル内のデータが前記第１の変調及び符号化スキームと異なる第２の変調及び符号化スキームの適応レートで伝送される、請求項２又は３に記載の方法。
【請求項５】
直交周波数分割多重移動通信デバイスであって、可変変調及び符号化スキーム適応レート（ＭＣＳ適応レート）を用いて基地局により伝送される接続のデータを受信するよう構成され、前記データは、さらに、伝送時間間隔長（ＴＴＩ長）を用いて伝送され、前記ＴＴＩ長が変わらないまま、前記ＭＣＳ適応レートが前記接続に対して変更可能であるように、前記ＭＣＳ適応レート及び前記ＴＴＩ長は前記接続に対してそれぞれ個別に可変である、直交周波数分割多重移動通信デバイス。
【請求項６】
前記直交周波数分割多重移動通信デバイスは、複数の無線チャネルを介してデータを受信するよう構成され、第１の無線チャネルは、第１のＭＣＳ適応レートに関連し、第２の無線チャネルは、第２のＭＣＳ適応レートに関連する、請求項５に記載の直交周波数分割多重移動通信デバイス。
【請求項７】
前記直交周波数分割多重移動通信デバイスは、既知の制御リソースを使用して、リソース割り当てメッセージ及びフレームレイアウト構成メッセージに対するデータフレーム内の位置を決定するよう構成される、請求項５又は６に記載の直交周波数分割多重移動通信デバイス。
【請求項８】
前記直交周波数分割多重移動通信デバイスは、直交周波数分割多重通信システムにおいて動作するよう適応され、前記直交周波数分割多重移動通信デバイスは、可変ＴＴＩ長を用いて送信されたデータを受信するよう構成される、請求項５から７のいずれか一項に記載の直交周波数分割多重移動通信デバイス。
【請求項９】
前記直交周波数分割多重移動通信デバイスは、同じ無線リソース上で異なるＴＴＩ長を有するデータを受信することができる、請求項５から８のいずれか一項に記載の直交周波数分割多重移動通信デバイス。
【請求項１０】
前記直交周波数分割多重移動通信デバイスは、既知の制御リソースを介して、リソース割り当てメッセージ及びフレームレイアウト構成メッセージに対するリソース位置情報を受信するよう構成される、請求項５から９のいずれか一項に記載の直交周波数分割多重移動通信デバイス。
【手続補正２】
【補正対象書類名】明細書
【補正対象項目名】００９６
【補正方法】変更
【補正の内容】
【００９６】
なおさらなる態様において、発明は、データチャネルの使用される変調及び符号化スキームを構成することを可能とされる通信システムを提供し、データチャネルの変調及び符号化スキームのシグナリングの伝送のために使用される変調及び符号化スキームは、関連するモバイルデバイスに予め知られたリソース上でシグナリングされる。
［項目１］
直交周波数分割多重移動通信システムにおけるデータを伝送するための方法であって、上記データは、変調及び符号化スキーム再構成サイクル長（ＭＣＳ再構成サイクル長）にわたって再構成可能なＭＣＳを使用して伝送され、上記データは、再構成可能な伝送時間間隔長（ＴＴＩ長）、上記ＭＣＳ再構成サイクル長を使用して伝送され、上記ＴＴＩ長は互いに異なる、方法。
［項目２］
上記データは、データフレーム内で伝送され、上記データフレームは、データフレームブロックを含むフレーム構造を有し、上記データフレームブロックは、
少なくとも１つのフレーム制御フィールドと、
少なくとも１つのフレームサブブロックであり、各サブブロックは、
ユーザデータと、
上記ユーザデータに対する上記ＭＣＳに関する情報と、
ＴＴＩインジケータと、
ユーザデータ証明情報と、
を含む、フレームサブブロックと
を備える、項目１に記載の方法。
［項目３］
上記データフレームは、さらに、上記ＭＣＳに関する情報を含む連続情報フィールド間の区分を示す情報を含む、項目２に記載の方法。
［項目４］
上記データフレーム内で、データは、複数のデータチャネル内で同時に伝送され、第１データチャネル内のデータは第１の変調及び符号化スキームの適応レートで伝送され、第２データチャネル内のデータが上記第１の変調及び符号化スキームと異なる第２の変調及び符号化スキームの適応レートで伝送される、項目２又は３に記載の方法。
［項目５］
基地局及び複数のユーザ機器デバイスを備える直交周波数分割多重移動通信システムであって、上記直交周波数分割多重移動通信システムは、上記基地局と上記複数のユーザ機器デバイスのうちの少なくとも１つのユーザ機器デバイスとの間で複数の同時データチャネルを提供するよう構成され、上記直交周波数分割多重移動通信システムは、個別の変調及び符号化スキームの適応レートを用いて各データチャネルを構成可能である、直交周波数分割多重移動通信システム。
［項目６］
上記直交周波数分割多重移動通信システムは、無線チャネルに関連する上記ユーザ機器デバイスの現在の無線チャネル持続期間に合致するように、個別の変調及び符号化スキームの適応レートの選択を許可可能である、項目５に記載の直交周波数分割多重移動通信システム。
［項目７］
上記直交周波数分割多重移動通信システムは、接続されたユーザ機器デバイスに対する無線チャネル状態を定期的にチェックし、必要に応じて、上記変調及び符号化スキームの適応レートの再構成を実行可能である、項目５又は６に記載の直交周波数分割多重移動通信システム。
［項目８］
上記直交周波数分割多重移動通信システムは、既知の制御リソースを使用して、リソース割り当て及びフレームレイアウト構成に使用されるリソースをシグナリング可能である、項目５から７のいずれか一項に記載の直交周波数分割多重移動通信システム。
［項目９］
直交周波数分割多重移動通信デバイスであって、可変変調及び符号化スキーム適応レート（ＭＣＳ適応レート）を用いて基地局により伝送されるデータを受信するよう構成され、上記データは、さらに、伝送時間間隔長（ＴＴＩ長）を用いて伝送され、上記ＭＣＳ適応レート及び上記ＴＴＩ長はそれぞれ個別に可変である、直交周波数分割多重移動通信デバイス。
［項目１０］
上記直交周波数分割多重移動通信デバイスは、複数の無線チャネルを介してデータを受信するよう構成され、第１の無線チャネルは、第１のＭＣＳ適応レートに関連し、第２の無線チャネルは、第２のＭＣＳ適応レートに関連する、項目９に記載の直交周波数分割多重移動通信デバイス。
［項目１１］
上記直交周波数分割多重移動通信デバイスは、既知の制御リソースを使用して、リソース割り当てメッセージ及びフレームレイアウト構成メッセージに対するデータフレーム内の位置を決定するよう構成される、項目９又は１０に記載の直交周波数分割多重移動通信デバイス。
［項目１２］
上記直交周波数分割多重移動通信デバイスは、直交周波数分割多重通信システムにおいて動作するよう適応され、上記直交周波数分割多重移動通信デバイスは、可変ＴＴＩ長を用いて送信されたデータを受信するよう構成される、項目９から１１のいずれか一項に記載の直交周波数分割多重移動通信デバイス。
［項目１３］
上記直交周波数分割多重移動通信デバイスは、同じ無線リソース上で異なるＴＴＩ長を有するデータを受信することができる、項目９から１２のいずれか一項に記載の直交周波数分割多重移動通信デバイス。
［項目１４］
上記直交周波数分割多重移動通信デバイスは、既知の制御リソースを介して、リソース割り当てメッセージ及びフレームレイアウト構成メッセージに対するリソース位置情報を受信するよう構成される、項目９から１３のいずれか一項に記載の直交周波数分割多重移動通信デバイス。
［項目１５］
移動無線リソースを制御するよう構成された直交周波数分割多重移動通信ネットワークエンティティであって、当該エンティティは、複数のユーザ機器デバイスのそれぞれに対して無線チャネル持続時間を導出するよう構成され、上記無線チャネル持続時間に従って変調及び符号化スキームの適応レートを構成するよう構成される、直交周波数分割多重移動通信ネットワークエンティティ。
［項目１６］
移動無線リソースを制御するよう構成された直交周波数分割多重移動通信ネットワークエンティティであって、当該エンティティは、複数の無線接続のそれぞれの必要な伝送時間間隔長（ＴＴＩ長）を導出し、上記必要なＴＴＩ長に従って各無線接続に対して上記ＴＴＩ長を構成するよう構成される、直交周波数分割多重移動通信ネットワークエンティティ。